(57)【要約】【課題】建物の高さを極力抑えながらも使い勝手の良い収納空間を備えた建物を提供することを目的とする。【解決手段】上下階に上階部屋２および下階部屋３をそれぞれ有し、下階部屋３は、上階床２ａおよび下階床３ａ間の高さを有する複数の構成体からなり、これら複数の構成体のうち、下階床３ａから所定高さ位置に第１中間床４ａが設けられた第１構成体４と、第１中間床４ａよりも高い位置に第２中間床５ａが設けられた第２構成体５とが隣接配置され、さらに、下階床３ａと第１中間床４ａとの間が第１収納部４ｂとされるとともに、上階床２ａと第２中間床５ａとの間が第２収納部５ｂとされており、下階床３ａおよび第１中間床４ａ間と、第１中間床４ａおよび第２中間床５ａ間と、第２中間床５ａおよび上階床２ａ間とに、それぞれ梯子６，７，８が架設されていることを特徴とする建物１。【選択図】図１
2008196111.tif 000002
【特許請求の範囲】
【請求項１】
上下階に上階部屋および下階部屋をそれぞれ有する建物において、
前記下階部屋は、上階床および下階床間の高さを有する複数の構成体からなり、
これら複数の構成体のうち、下階床から所定高さ位置に第１中間床が設けられた第１構成体と、前記第１中間床よりも高い位置に第２中間床が設けられた第２構成体とが隣接配置され、さらに、前記下階床と第１中間床との間が第１収納部とされるとともに、前記上階床と第２中間床との間が第２収納部とされており、
前記下階床および第１中間床間と、第１中間床および第２中間床間と、第２中間床および上階床間とに、それぞれ梯子が架設されていることを特徴とする建物。
【請求項２】
請求項１に記載の建物において、
前記第１中間床と上階床との間が中間部屋とされるとともに、この中間部屋に向かって開口する出入口が前記第２収納部に設けられ、この出入口の位置に対応して、前記梯子が架設されており、
前記第２収納部に向かって開口する昇降口が前記上階床に形成され、この昇降口の位置に対応して、前記梯子が架設されていることを特徴とする建物。
【請求項３】
請求項２に記載の建物において、
前記出入口には、この出入口を閉塞するための閉塞壁材が着脱可能に設けられていることを特徴とする建物。
【請求項４】
請求項２に記載の建物において、
前記昇降口には、この昇降口を閉塞するための閉塞床材が着脱可能に設けられていることを特徴とする建物。
【請求項５】
請求項１〜４のいずれか一項に記載の建物において、
前記第１収納部および第２収納部の天井高は、０．９ｍ〜１．４ｍに設定されていることを特徴とする建物。
【発明の詳細な説明】
【技術分野】
【０００１】
本発明は、上下階に上階部屋および下階部屋をそれぞれ有する建物に関する。
【背景技術】
【０００２】
従来より、建物の床下や天井裏を収納庫として利用するようにした建物が利用されている。このような収納庫を形成した建物とすれば、通常使用されていない天井裏や床下の空間を有効利用することが可能となり、建物内部の空間の利用率を向上することができる。
このような収納庫を備えた建物として特許文献１に記載のものが知られている。この特許文献１に記載の建物では、上下階間に収納庫を備えており、この収納庫の上面には建物の上階から出入り可能な上階用開口部が形成されているとともに、その下面には前記建物の下階から出入り可能な下階用開口部が形成され、これらの上階用開口部および下階用開口部の平面位置が互いに異なるようにしてある。
このような建物では、下階用開口部および上階用開口部の平面位置が互いに異なっているので、それぞれの開口部を利用して上階用の収納庫と下階用の収納庫との区分けが容易になるという利点がある。
【特許文献１】特開平１０−２０５１５０号公報
【発明の開示】
【発明が解決しようとする課題】
【０００３】
ところで、都市等の住宅密集地では、隣接する住宅への採光、通風をできるだけ確保できるように配慮するため、建物の高さは極力低く抑えたいという要望があるが、上記のような建物では、上下階の間に収納庫を備えているので、収納庫の高さ分、建物が高くなるという問題がある。
また、上記のような収納庫を戸建住宅等に適用した場合、上階専用の収納庫に物品を収納する際は前記上階用開口部から収納し、下階専用の収納庫に物品を収納する際は前記下階用開口部から収納せざるを得ない。すなわち、物品の収納方法が予め決定されているため、居住者は自由に収納方法を選択できないという問題がある。
【０００４】
本発明の課題は、建物の高さを極力抑えながらも使い勝手の良い収納空間を備えた建物を提供することを目的とする。
【課題を解決するための手段】
【０００５】
請求項１に記載の発明は、例えば、図１に示すように、上下階に上階部屋２および下階部屋３をそれぞれ有する建物１において、
前記下階部屋３は、上階床２ａおよび下階床３ａ間の高さを有する複数の構成体からなり、
これら複数の構成体のうち、下階床３ａから所定高さ位置に第１中間床４ａが設けられた第１構成体４と、前記第１中間床４ａよりも高い位置に第２中間床５ａが設けられた第２構成体５とが隣接配置され、さらに、前記下階床３ａと第１中間床４ａとの間が第１収納部４ｂとされるとともに、前記上階床２ａと第２中間床５ａとの間が第２収納部５ｂとされており、
前記下階床３ａおよび第１中間床４ａ間と、第１中間床４ａおよび第２中間床５ａ間と、第２中間床５ａおよび上階床２ａ間とに、それぞれ梯子６，７，８が架設されていることを特徴とする。
【０００６】
ここで、構成体とは、上下面が天井や床等で構成され、側面が内壁や外壁等の壁で構成されたものを意味する。天井、床、壁には適宜開口部を形成しても良い。構成体の外形は、直方体状または立方体状に形成するのが望ましいが、これに限ることはない。例えば、平面視において、略Ｌ字状、略十字状等に形成されたものでも良く、特に平面形状はどのような形状でも良い。なお、図中における一点鎖線が、隣接する構成体同士の境界部分を表しているものとする。
また、構成体は現場で柱、梁、建築用木質パネル等を使用して構築しても良いし、工場等において、予め組み立てておいも良い。この場合、直方体状に鉄骨を組み立ててなす建物１ユニットによって構成体を形成することもできる。
【０００７】
請求項１に記載の発明によれば、前記下階床３ａから所定高さ位置に第１中間床４ａが設けられた第１構成体４と、前記第１中間床４ａよりも高い位置に第２中間床５ａが設けられた第２構成体５とが隣接配置され、さらに、前記下階床３ａと第１中間床４ａとの間が第１収納部４ｂとされるとともに、前記上階床２ａと第２中間床５ａとの間が第２収納部５ｂとされているので、第１中間床４ａ上および第２中間床５ａ下の双方にそれぞれ居室空間等のためのスペースを確保できる。したがって、前記下階部屋３の内部に、第１収納部４ｂおよび第２収納部５ｂを備えていても、建物１自体の高さを極力抑えることができる。
また、前記下階床３ａおよび第１中間床４ａ間と、第１中間床４ａおよび第２中間床５ａ間と、第２中間床５ａおよび上階床２ａ間とに、それぞれ梯子６，７，８が架設されているので、前記下階床３ａから、第１中間床４ａおよび第２中間床５ａを経由して上階床２ａに至るまで、前記梯子６，７，８を介して各床間を容易に行き来することができる。したがって、前記第１収納部４ｂおよび第２収納部５ｂに容易に物品を収納することができ、さらに、例えば第２収納部５ｂに対して下階からも上階からも物品を収納できるなど、居住者が収納方法を自由に選択できるので、使い勝手が良い。
【０００８】
請求項２に記載の発明は、例えば、図１に示すように、請求項１に記載の建物１において、
前記第１中間床４ａと上階床２ａとの間が中間部屋９とされるとともに、この中間部屋９に向かって開口する出入口１０が前記第２収納部５ｂに設けられ、この出入口１０の位置に対応して、前記梯子７が架設されており、
前記第２収納部５ｂに向かって開口する昇降口１１が前記上階床２ａに形成され、この昇降口１１の位置に対応して、前記梯子８が架設されていることを特徴とする。
【０００９】
請求項２に記載の発明によれば、前記第１中間床４ａと上階床２ａとの間が中間部屋９とされるとともに、この中間部屋９に向かって開口する出入口１０が前記第２収納部５ｂに設けられ、この出入口１０の位置に対応して、前記梯子７が架設されているので、前記中間部屋９および第２収納部５ｂ間を、より容易に行き来することができる。
また、前記第２収納部５ｂに向かって開口する昇降口１１が前記上階床２ａに形成され、この昇降口１１の位置に対応して、前記梯子８が架設されているので、前記第２収納部５ｂおよび上階部屋２間を、さらに容易に行き来することができる。
【００１０】
請求項３に記載の発明は、例えば、図２に示すように、請求項２に記載の建物１において、
前記出入口１０には、この出入口１０を閉塞するための閉塞壁材１０ａが着脱可能に設けられていることを特徴とする。
【００１１】
請求項３に記載の発明によれば、前記出入口１０には、この出入口１０を閉塞するための閉塞壁材１０ａが着脱可能に設けられているので、この閉塞壁材１０ａによって前記出入口１０を閉塞することによって前記中間部屋９と第２収納部５ｂとを区切ることができる。これによって、例えばこの第２収納部５ｂを、上階部屋２の床下収納として使用できるなど、居住者が収納方法を自由に選択できるので、より使い勝手が良い。
【００１２】
請求項４に記載の発明は、例えば、図３に示すように、請求項２に記載の建物１において、
前記昇降口１１には、この昇降口１１を閉塞するための閉塞床材１１ａが着脱可能に設けられていることを特徴とする。
【００１３】
請求項４に記載の発明によれば、前記昇降口１１には、この昇降口１１を閉塞するための閉塞床材１１ａが着脱可能に設けられているので、この閉塞床材１１ａによって前記昇降口１１を閉塞することによって前記上階部屋２と第２収納部５ｂとを区切ることができる。これによって、例えばこの第２収納部５ｂを、中間部屋９のロフトスペースとして使用できるなど、居住者が収納方法を自由に選択できるので、さらに使い勝手が良い。
【００１４】
請求項５に記載の発明は、例えば、図１〜図３に示すように、請求項１〜４のいずれか一項に記載の建物１において、
前記第１収納部４ｂおよび第２収納部５ｂの天井高は、０．９ｍ〜１．４ｍに設定されていることを特徴とする。
【００１５】
請求項５に記載の発明によれば、前記第１収納部４ｂおよび第２収納部５ｂの天井高を、０．９ｍ〜１．４ｍに設定することによって、人が前記第１収納部４ｂおよび第２収納部５ｂに入って、何とか作業ができる最低限の高さを確保でき、また、このように天井高を必要最小限に抑えることで、建物１の高さが高くなることによって隣接する建物に及ぼす日照減少等の影響を極力少なくすることができる。
【発明の効果】
【００１６】
本発明によれば、下階床から所定高さ位置に第１中間床が設けられた第１構成体と、第１中間床よりも高い位置に第２中間床が設けられた第２構成体とが隣接配置され、さらに、下階床と第１中間床との間が第１収納部とされるとともに、上階床と第２中間床との間が第２収納部とされているので、第１中間床上および第２中間床下の双方にそれぞれ居室空間等のためのスペースを確保できる。したがって、下階部屋の内部に、第１収納部および第２収納部を備えていても、建物自体の高さを極力抑えることができる。
また、下階床および第１中間床間と、第１中間床および第２中間床間と、第２中間床および上階床間とに、それぞれ梯子が架設されているので、下階床から、第１中間床および第２中間床を経由して上階床に至るまで、梯子を介して各床間を容易に行き来することができる。したがって、第１収納部および第２収納部に容易に物品を収納することができ、さらに、例えば第２収納部に対して下階からも上階からも物品を収納できるなど、居住者が収納方法を自由に選択できるので、使い勝手が良い。
【発明を実施するための最良の形態】
【００１７】
以下、図面を参照して本発明の実施の形態について説明する。
【００１８】
本実施の形態の建物１は、図１に示すように、上下階に上階部屋２および下階部屋３をそれぞれ有するものであり、前記下階部屋３は、上階床２ａおよび下階床３ａ間の高さを有する複数の構成体からなり、これら複数の構成体のうち、下階床３ａから所定高さ位置に第１中間床４ａが設けられた第１構成体４と、前記第１中間床４ａよりも高い位置に第２中間床５ａが設けられた第２構成体５とが隣接配置され、さらに、前記下階床３ａと第１中間床４ａとの間が第１収納部４ｂとされるとともに、前記上階床２ａと第２中間床５ａとの間が第２収納部５ｂとされており、前記下階床３ａおよび第１中間床４ａ間と、第１中間床４ａおよび第２中間床５ａ間と、第２中間床５ａおよび上階床２ａ間とに、それぞれ梯子６，７，８が架設されている。
【００１９】
なお、前記第１収納部４ｂおよび第２収納部５ｂの天井高は、０．９ｍ〜１．４ｍに設定されている。すなわち、前記下階床３ａから第１中間床４ａまでの高さが０．９ｍ〜１．４ｍに設定され、前記第２中間床５ａから上階床２ａまでの高さが０．９ｍ〜１．４ｍに設定されている。
これにより、人が前記第１収納部４ｂおよび第２収納部５ｂに入って、何とか作業ができる最低限の高さを確保でき、また、このように天井高を必要最小限に抑えることで、建物１の高さが高くなることによって隣接する建物に及ぼす日照減少等の影響を極力少なくすることが可能となっている。
【００２０】
ここで、本実施の形態の建物１は、上下２階建ての住宅となっており、上階には、前記上階部屋２の他にも複数の部屋が設けられており、下階には、前記下階部屋３の他にも複数の部屋が設けられている。
【００２１】
前記上階部屋２には、図示はしないが、上階に設けられたその他の部屋に通じる出入口が設けられており、前記梯子６，７，８を昇降する以外にも下階から上階へと通じる経路を確保することができるので使い勝手が良い。
【００２２】
また、上述したように、前記下階部屋３は、上階床２ａおよび下階床３ａ間の高さを有する複数の構成体からなり、これら複数の構成体のうち、下階床３ａから所定高さ位置に第１中間床４ａが設けられた第１構成体４と、前記第１中間床４ａよりも高い位置に第２中間床５ａが設けられた第２構成体５とが隣接配置されている。なお、図中における一点鎖線が、隣接する第１構成体４と第２構成体５の境界部分を表しているものとする。
さらに、図１に示すように、前記下階部屋３には、前記第２構成体５に隣接し、上階床２ａおよび下階床３ａ間の高さの天井高を有する第３構成体１２が配置されている。
【００２３】
一方、前記第１中間床４ａと上階床２ａとの間が中間部屋９とされている。この中間部屋９は、下階床３ａよりも０．９ｍ〜１．４ｍ分高い位置に配置されており、下階床３ａおよび第１中間床４ａ間に架設された梯子６によって行き来することができるようになっている。
【００２４】
また、この梯子６の後方には、前記第１収納部４ｂへ物品を収納する際の搬入口１３が設けられており、下階部屋３から物品の搬出入を行うことができる。また、この第１収納部４ｂの床面は前記下階床３ａであり、この第１収納部４ｂに隣接する下階部屋３と同床レベルで物品の搬入や搬出作業を行うことができるので、例えば比較的重量な物品等でも収納しやすく使い勝手が良い。
【００２５】
また、前記中間部屋９に向かって開口する出入口１０が前記第２収納部５ｂに設けられており、この出入口１０の位置に対応して、前記梯子７が架設されている。これにより、前記中間部屋９および第２収納部５ｂ間を、より容易に行き来することができるようになっている。
【００２６】
さらに、前記第２収納部５ｂに向かって開口する昇降口１１が前記上階床２ａに形成されており、この昇降口１１の位置に対応して、前記梯子８が架設されている。これにより、前記第２収納部５ｂおよび上階部屋２間を、さらに容易に行き来することが可能となっている。
なお、この昇降口１１の周囲には、図示はしないが、物品等の落下を防ぐための手摺り壁を立設するようにする。
【００２７】
ここで、以下に、前記第２収納部５ｂの実施例について説明する。
この第２収納部５ｂは、図１に示すように、上階と下階との中間に位置しており、居住者が、第２収納部５ｂの収納方法や使用方法を自由に選択できるようになっている。
【００２８】
（実施例１）
前記第２収納部５ｂには、前記中間部屋９に向かって開口する出入口１０が設けられており、この出入口１０には、図２に示すように、この出入口１０を閉塞するための閉塞壁材１０ａが着脱可能に設けられている。
すなわち、この第２収納部５ｂと前記中間部屋９との行き来を遮断した状態となっている。この時、前記第１中間床４ａおよび第２中間床５ａ間に架設された梯子７は一時的に撤去しても良いものとする。
【００２９】
そして、このように前記閉塞壁材１０ａによって出入口１０を閉塞することによって前記中間部屋９と第２収納部５ｂとを区切ることができるので、例えばこの第２収納部５ｂを、上階部屋２の床下収納として使用できるなど、居住者が収納方法を自由に選択でき、より使い勝手が良い。
【００３０】
なお、本実施例においては、前記第２収納部５ｂを上階部屋２の床下収納として使用したが、これに限られるものではなく、例えば掘り炬燵のように使用しても良く、本発明の趣旨を逸脱しない範囲で適宜変更可能である。
【００３１】
（実施例２）
前記上階床２ａには、前記第２収納部５ｂに向かって開口する昇降口１１が形成されており、この昇降口１１には、図３に示すように、この昇降口１１を閉塞するための閉塞床材１１ａが着脱可能に設けられている。
すなわち、この第２収納部５ｂと前記上階部屋２との行き来を遮断した状態となっている。この時、前記第２中間床５ａおよび上階床２ａ間に架設された梯子８は一時的に撤去しても良いものとする。
【００３２】
そして、前記閉塞床材１１ａの上面は、前記上階床２ａの床面と略面一になっており、上階部屋２と第２収納部５ｂとの行き来を遮断した際に、上階床２ａの床面とと閉塞床材１１ａの上面との間を違和感なく行き来したり、段差なく物品を載置することができる。
【００３３】
また、上述の手摺り壁を前記上階床２ａに対して着脱可能とし、これによって、この手摺り壁を前記閉塞床材１１ａとして使用するようにしても良い。これによって、手摺り壁によって昇降口１１を閉塞することと、昇降口１１を閉塞するにあたって手摺り壁を収納することとを同時に行うことができるので使い勝手が良い。
【００３４】
そして、このように前記閉塞床材１１ａによって前記昇降口１１を閉塞することによって前記上階部屋２と第２収納部５ｂとを区切ることができる。これによって、例えばこの第２収納部５ｂを、中間部屋９のロフトスペースとして使用できるなど、居住者が収納方法を自由に選択できるので、さらに使い勝手が良い。
【００３５】
なお、本実施例においては、前記第２収納部５ｂを中間部屋９のロフトスペースとして使用したが、これに限られるものではなく、本発明の趣旨を逸脱しない範囲で適宜変更可能である。すなわち、例えば中間部屋９を子供部屋とし、前記第２収納部５ｂを子供用のベッドスペースとしても良い。
【００３６】
以上のように本実施の形態によれば、前記下階床３ａから所定高さ位置に第１中間床４ａが設けられた第１構成体４と、前記第１中間床４ａよりも高い位置に第２中間床５ａが設けられた第２構成体５とが隣接配置され、さらに、前記下階床３ａと第１中間床４ａとの間が第１収納部４ｂとされるとともに、前記上階床２ａと第２中間床５ａとの間が第２収納部５ｂとされているので、第１中間床４ａ上および第２中間床５ａ下の双方にそれぞれ居室空間等のためのスペースを確保できる。したがって、前記下階部屋３の内部に、第１収納部４ｂおよび第２収納部５ｂを備えていても、建物１自体の高さを極力抑えることができる。
また、前記下階床３ａおよび第１中間床４ａ間と、第１中間床４ａおよび第２中間床５ａ間と、第２中間床５ａおよび上階床２ａ間とに、それぞれ梯子６，７，８が架設されているので、前記下階床３ａから、第１中間床４ａおよび第２中間床５ａを経由して上階床２ａに至るまで、前記梯子６，７，８を介して各床間を容易に行き来することができる。したがって、前記第１収納部４ｂおよび第２収納部５ｂに容易に物品を収納することができ、さらに、例えば第２収納部５ｂに対して下階からも上階からも物品を収納できるなど、居住者が収納方法を自由に選択できるので、使い勝手が良い。
【図面の簡単な説明】
【００３７】
【図１】本発明に係る建物の実施形態を示す側断面図である。
【図２】本発明に係る建物の実施例を示す側断面図である。
【図３】本発明に係る建物の実施例を示す側断面図である。
【符号の説明】
【００３８】
１  建物
２  上階部屋
２ａ  上階床
３  下階部屋
３ａ  下階床
４  第１構成体
４ａ  第１中間床
４ｂ  第１収納部
５  第２構成体
５ａ  第２中間床
５ｂ  第２収納部
６  梯子
７  梯子
８  梯子
【図１】
2008196111.tif 000003
【図２】
2008196111.tif 000004
【図３】
2008196111.tif 000005